(57)【要約】【課題】二重定格を有する環形蛍光ランプを定格点灯させても、快適な照明空間を演出することができる照明器具を提供する。【解決手段】器具本体14の反射面22とセード15との間に、定格点灯および高出力点灯可能な二重定格を有する環形蛍光ランプ12を配置する。環形蛍光ランプ12を点灯装置13により定格点灯させたときの外部へ照射する光の色温度を高出力点灯時に比べて低くする。波長５５０ｎｍの光の透過率に対して長波長側の光の透過率が平均３％以上高いセード15により、赤色系の光を効果的に透過させ、色温度を低くする。光の反射率が９０％以上の高反射特性を有する反射面22により、高出力点灯時に比べた光出力の低下を抑制するとともに、反射光を黄色味がかった白色として色温度を低くする。色温度を低くすることにより、人の視感度が上昇し、快適な照明空間を演出する。【選択図】図１
2011014464.tif 000002
【特許請求の範囲】
【請求項１】
定格点灯および高出力点灯可能な二重定格を有する環形蛍光ランプを配置する器具本体と；
環形蛍光ランプを定格点灯させる点灯装置と；
環形蛍光ランプを定格点灯させたときの外部へ照射する光の色温度を高出力点灯時に比べて低くする色温度調整手段と；
を具備することを特徴とする照明器具。
【請求項２】
色温度調整手段として、環形蛍光ランプを覆うとともに波長５５０ｎｍの光の透過率に対して長波長側の光の透過率が平均３％以上高いセードを具備する
ことを特徴とする請求項１記載の照明器具。
【請求項３】
色温度調整手段として、定格点灯する環形蛍光ランプから放出される光の反射率が９０％以上の高反射特性を有する反射面を具備する
ことを特徴とする請求項１または２記載の照明器具。
【発明の詳細な説明】
【技術分野】
【０００１】
本発明は、定格点灯および高出力点灯可能な二重定格を有する環形蛍光ランプを用いる照明器具に関する。
【背景技術】
【０００２】
従来、環形蛍光ランプを使用する住宅用の照明器具では、環形蛍光ランプを配置する器具本体、環形蛍光ランプを高周波点灯させる点灯装置、および環形蛍光ランプを覆うセードなどを備えている。
【０００３】
この住宅用の照明器具において、ＪＩＳ Ｃ７６１８に定義されているように、定格点灯および高出力点灯が可能な二重定格を有する環形蛍光ランプを用いた照明器具がある（例えば、特許文献１参照。）。
【０００４】
環形蛍光ランプが放出する光の色温度は５０００Ｋ程度が標準とされており、この色温度で快適な照明空間を演出するには、３００ｌｘ以上の平均照度が必要となるため、二重定格を有する環形蛍光ランプを使用する照明器具では、通常、環形蛍光ランプを高出力点灯させている。
【先行技術文献】
【特許文献】
【０００５】
【特許文献１】特開２００４−７９５５２号公報（第９−１２頁、図１−５）
【発明の概要】
【発明が解決しようとする課題】
【０００６】
ところで、省電力の観点からは、二重定格を有する環形蛍光ランプを定格点灯させることが考えられるが、光出力の低下によって、所望の平均照度が得られず、快適な照明空間を演出することができなくなる問題がある。
【０００７】
本発明は、このような点に鑑みなされたもので、二重定格を有する環形蛍光ランプを定格点灯させても、快適な照明空間を演出することができる照明器具を提供することを目的とする。
【課題を解決するための手段】
【０００８】
請求項１記載の照明器具は、定格点灯および高出力点灯可能な二重定格を有する環形蛍光ランプを配置する器具本体と；環形蛍光ランプを定格点灯させる点灯装置と；環形蛍光ランプを定格点灯させたときの外部へ照射する光の色温度を高出力点灯時に比べて低くする色温度調整手段と；を具備するものである。
【０００９】
定格点灯とは、管径１４〜１８ｍｍの環形蛍光ランプの管内径、管外径および環径から導き出せる数値から口金部分を除いた長さを放電路長とし、この放電路長当たりの電力を計算すると、図６の表に示すように、高出力点灯に比べて低い、０．０３０〜０．０３５Ｗの範囲と定義することができる。また、ランプ電流が０．２〜０．３Ａで点灯する環形蛍光ランプであれば、定格点灯と定義することができる。さらに、定格点灯および高出力点灯可能な二重定格を有する環形蛍光ランプは、ＪＩＳ Ｃ７６１８にも定義されている。この環形蛍光ランプから放出する光の色温度は、定格点灯および高出力点灯とも変化しない。また、環形蛍光ランプは１本でもよいし、定格電力の異なる複数本の環形蛍光ランプを用いても構わない。また、環形とは、円環状でも四角形環状でも構わない。
【００１０】
器具本体は、例えば、環形蛍光ランプを保持するホルダ、環形蛍光ランプを接続するソケット、および環形蛍光ランプの光を反射させる反射面などを備えていてもよいが、本発明の必須の構成ではない。
【００１１】
点灯装置は、例えば、環形蛍光ランプを１０ｋＨｚ以上の高周波で点灯させるインバータ回路などを備える。
【００１２】
色温度調整手段は、例えば、環形蛍光ランプの光を透過や反射などの光学系要素で、赤色系の光や黄色系の光を増加させたり、逆に青色系の光を低減させるなどして、色温度を低くすることができる。例えば、色温度が５０００Ｋ以上の場合、快適な照明空間を演出するには３００ｌｘ以上の平均照度が必要となるが、色温度が３０００〜４５００Ｋの白色光であれば、快適に感じる照度幅が非常に広く、１００ｌｘ以上の平均照度で快適な照明空間を演出することができる。
【００１３】
請求項２記載の照明器具は、請求項１記載の照明器具において、色温度調整手段として、環形蛍光ランプを覆うとともに波長５５０ｎｍの光の透過率に対して長波長側の光の透過率が平均３％以上高いセードを具備するものである。
【００１４】
セードの長波長側の範囲は、例えば、可視光域の範囲内である７６０ｎｍであり、そのため、波長５５０ｎｍの光の透過率に対して６００〜７６０ｎｍの範囲での透過率が平均３％以上高い特性を有している。
【００１５】
セードは、例えば、器具本体との間を密閉する密閉形でも、器具本体との間を開口したりセード自体に開口部を有する開放形でも構わない。
【００１６】
請求項３記載の照明器具は、請求項１または２記載の照明器具において、色温度調整手段として、定格点灯する環形蛍光ランプから放出される光の反射率が９０％以上の高反射特性を有する反射面を具備するものである。
【００１７】
反射面は、例えば、器具本体自体に形成しても、別の反射体を用いてもよい。反射面は、例えば、アルミニウム、ステンレススチール、クロム、およびメッキなどの金属板からなり、光反射面にポリエステル樹脂や酸化チタンなどの塗装を数回、塗着および焼成などを繰り返して、５０μｍ以上、好ましくは７５μｍ以上の白色塗装を施して形成することができるが、９０％以上の高反射特性を有していれば、その塗布方法や塗料などは特に限定されるものではない。そして、現行の照明器具に用いられている反射面の反射率は９０％より低く、反射率を９０％以上とすることで高出力点灯時に比べた光出力の低下を抑制することができる。
【発明の効果】
【００１８】
請求項１記載の照明器具によれば、環形蛍光ランプを定格点灯させたときの外部へ照射する光の色温度を高出力点灯時に比べて低くするため、高出力点灯時に比べて照度が低下しても、人の視感度が上昇し、快適な照明空間を演出することができる。
【００１９】
請求項２記載の照明器具によれば、請求項１記載の照明器具の効果に加えて、波長５５０ｎｍの光の透過率に対して長波長側の光の透過率が平均３％以上高いセードにより、赤色系の光を効果的に透過させ、色温度を低くすることができる。
【００２０】
請求項３記載の照明器具によれば、請求項１または２記載の照明器具の効果に加えて、定格点灯する環形蛍光ランプから放出される光の反射率が９０％以上の高反射特性を有する反射面により、高出力点灯時に比べた光出力の低下を抑制することができるとともに、反射光が黄色味がかった白色となって色温度を低くできる。
【図面の簡単な説明】
【００２１】
【図１】本発明の一実施の形態を示す照明器具の断面図である。
【図２】同上照明器具の本実施の形態と現行品（従来品）とを比較する反射面の反射率特性を示すグラフである。
【図３】同上照明器具の本実施の形態と現行品（従来品）とを比較する器具光束を示す表である。
【図４】同上照明器具のセードの透過率特性を示すグラフである。
【図５】同上照明器具のセードを透過した光の反射面種類に応じた特性を示す表である。
【図６】環形蛍光ランプの種類と定格点灯および高出力点灯とに応じた特性を示す表である。
【発明を実施するための形態】
【００２２】
以下、本発明の一実施の形態を、図面を参照して説明する。
【００２３】
図１に示すように、照明器具11は、住宅用の天井直付け形でかつ密閉形の照明器具であり、環形蛍光ランプ12、この環形蛍光ランプ12を定格点灯させる点灯装置13、これら環形蛍光ランプ12および点灯装置13を配置する器具本体14、環形蛍光ランプ12および点灯装置13を覆って器具本体14に着脱可能に取り付けられるセード15を備え、器具本体14とセード15との間に環形蛍光ランプ12および点灯装置13を内包する密閉空間16が形成されている。
【００２４】
環形蛍光ランプ12は、環形のバルブおよびこのバルブの両端が接続された口金を有し、ＪＩＳ Ｃ７６１８に定義されているように、定格点灯および高出力点灯可能な二重定格を有する環形蛍光ランプ12である。本実施の形態では、定格電力が大小異なる２本の環形蛍光ランプ12が用いられている。
【００２５】
点灯装置13は、環形蛍光ランプ12を１０ｋＨｚ以上の高周波で定格点灯させるインバータ回路などを備えている。すなわち、環形蛍光ランプ12の定格点灯専用の点灯装置13が用いられている。また、点灯装置13からは、環形蛍光ランプ12の口金に接続される図示しないソケットが配線によって引き出されている。
【００２６】
器具本体14は、円盤状に形成され、周辺部にはセード15が嵌合する縁部19が形成されている。器具本体14の下面には、器具本体14の周辺域に対向する位置に環形蛍光ランプ12を着脱可能に装着する複数のランプホルダ20が取り付けられ、器具本体14の中央域に点灯装置13が取り付けている。さらに、器具本体14の下面周辺域には、セード15が着脱可能に取り付けられる複数のセード取付金具21が取り付けられている。
【００２７】
器具本体14の下面は、環形蛍光ランプ12から放出される光を反射する反射面22に形成されている。この反射面22は、高反射塗装処理が施されており、定格点灯する環形蛍光ランプ12から放出される光の反射率が９０％以上の高反射特性を有する。そして、器具本体14には、例えば、鋼板の少なくとも反射面22側に、酸化チタンなどの光反射粒子を含む白色顔料を含有した樹脂層が厚さ０．８ｍｍ程度に塗布形成された高反射率の白色プレコート鋼板が用いられる。
【００２８】
図２には、本実施の形態と現行品（従来品）とを比較する反射面の反射率特性のグラフを示し、横軸が波長、縦軸が反射率である。この比較において、どちらも二重定格の環形蛍光ランプ12を使用したものであるが、本実施の形態の反射面22は反射率９０％を超える高反射特性を有するのに対して、現行品の反射面の反射率は８０％程度である。
【００２９】
図３には、本実施の形態と現行品（従来品）との器具光束を比較する表を示す。本実施の形態は反射率９０％を超える高反射特性を有する反射面22を用いて環形蛍光ランプ12を定格点灯をしたものであり、現行品は反射率８０％程度の反射面を用いて環形蛍光ランプ12を高出力点灯したものである。現行品では環形蛍光ランプ12を高出力点灯しているため、ランプ光束については、本実施の形態の環形蛍光ランプ12を定格点灯するよりも高い値となる。しかし、反射面で反射した反射光を含む器具外へ出射する光を測定した器具光束については、本実施の形態では高反射特性を有する反射面22を用いているため、現行品と略同等の値となり、器具効率についても現行品より高い結果となった。
【００３０】
セード15は、光透過性および拡散性を有する乳白色の樹脂にて、下方になだらかに湾曲突出した形状に形成されている。セード15の周辺部には、器具本体14に嵌合する嵌合部25が形成され、この嵌合部25にセード取付金具21に取り付けられる取付部26が形成されている。
【００３１】
図４には、セード15の透過率特性のグラフを示し、横軸が波長、縦軸が透過率である。セード15は、波長５５０ｎｍの光の透過率に対して長波長側の光の透過率が平均３％以上高い特性を有している。長波長側の範囲は、可視光域の範囲内である７６０ｎｍであり、そのため、波長５５０ｎｍの光の透過率に対して６００〜７６０ｎｍの範囲での透過率が平均３％以上高い特性を有している。これにより、赤色系の光を効果的に透過させ、色温度を低くすることができる。
【００３２】
そうして、点灯装置13により環形蛍光ランプ12を定格点灯させることにより、環形蛍光ランプ12から放出される光のうち、一部はセード15を直接入射して透過し、一部は反射面22で反射した後にセード15に入射して透過し、セード15を透過した光で照明する。
【００３３】
また、図５には、セード15を透過した光の反射面種類に応じた特性を示す表を示す。反射面22について、反射率が９０％以上の高反射塗装タイプと、反射率が９０％以下であって例えば８２％程度の現行塗装タイプとについて特性を測定した。環形蛍光ランプ12の種類、点灯装置13による定格点灯、入力電圧、入力電流および消費電力などの条件は同一または略同一である。そして、セード15に対して２ｍの距離に輝度計や色温度計などの測定器具を設置し、器具中心に対向する位置(1)、外側の環形蛍光ランプ12に対向する位置(2)、外側の環形蛍光ランプ12から外側に３０ｍｍ離れた場所に対向する位置(3)の３箇所についてそれぞれ測定した。
【００３４】
その結果、各位置(1)(2)(3)とも、高反射塗装タイプの反射面22は、現行塗装タイプに比べて、輝度が高くなった。これにより、環形蛍光ランプ12を定格点灯させる場合でも、高出力点灯時に比べた光出力の低下を抑制することができる。
【００３５】
また、各位置(1)(2)(3)とも、色温度については低くなった。これは、反射率が９０％以上の反射面22によって波長の短い青色系の光成分の吸収などによって十分に反射されないため、反射する反射光が黄色味がかった白色となって色温度が低くなると考えられる。
【００３６】
また、各位置(1)(2)(3)とも、紫外線量も低くなった。
【００３７】
そして、上述したように、波長５５０ｎｍの光の透過率に対して長波長側の光の透過率が平均３％以上高いセード15により、赤色系の光を効果的に透過させ、色温度を低くすることができる。
【００３８】
さらに、定格点灯する環形蛍光ランプ12から放出される光の反射率が９０％以上の高反射特性を有する反射面22により、反射光が黄色味がかった白色となって色温度を低くできる。
【００３９】
これらセード15および反射面22が、環形蛍光ランプ12を定格点灯させたときの外部へ照射する光の色温度を高出力点灯時に比べて低くする色温度調整手段31として構成されている。
【００４０】
環形蛍光ランプ12が放出する光の色温度は５０００Ｋ程度が標準とされており、この色温度が５０００Ｋ以上の場合、快適な照明空間を演出するには３００ｌｘ以上の平均照度が必要となるが、色温度が３０００〜４５００Ｋの白色光であれば、快適に感じる照度幅が非常に広く、１００ｌｘ以上の平均照度で快適な照明空間を演出することができる。
【００４１】
したがって、環形蛍光ランプ12を定格点灯させたときの外部へ照射する光の色温度を高出力点灯時に比べて低くするため、高出力点灯時に比べて照度が低下しても、人の視感度が上昇し、快適な照明空間を演出することができる。
【００４２】
なお、色温度調整手段31としては、環形蛍光ランプ12の光を透過や反射などの光学系要素で、赤色系の光や黄色系の光を増加させるのに加えて、逆に青色系の光を低減させることにより、色温度をより低くすることもできる。
【符号の説明】
【００４３】
11    照明器具
12    環形蛍光ランプ
13    点灯装置
14    器具本体
15    セード
22    反射面
31    色温度調整手段
【図１】
2011014464.tif 000003
【図２】
2011014464.tif 000004
【図３】
2011014464.tif 000005
【図４】
2011014464.tif 000006
【図５】
2011014464.tif 000007
【図６】
2011014464.tif 000008